(57)【要約】      （修正有）【課題】  既存の立看板を簡単、且つ、確実に設置保持できる立看板用重し具を提供する。【解決手段】水を充填するタンク本体３の両端側に枠部材１の水平桟部１ａに載置可能な載置部４を設け、この載置部４を各枠部材１の水平桟部１ａに載置してタンク本体３を前記枠部材１間に架設し得るように構成し、このタンク本体３の両端側の載置部４の少なくとも一方の載置部４に、前記枠部材１に貼付固定した表示板２とこの表示板２が貼設状態の水平桟部１ａとの間に生ずる隙間部８に差込係止する差込係止部５を突出状態に設け、この差込係止部５を前記隙間部８に差込係止状態として前記載置部４を水平桟部１ａに載置することで前記枠部材１間にタンク本体３を脱落阻止状態に架設保持し得るように構成した立看板用重し具。【選択図】      図１
2006215371.tif 000002
【特許請求の範囲】
【請求項１】
対向する縦桟部間に水平桟部を水平架設して形成した複数の枠部材を連設して立設状態に設置可能に構成すると共に、この複数の枠部材の少なくとも一の枠部材の外側に表示板を貼設固定して成る立看板に付設して、この立看板を立設状態に設置保持する立看板用重し具であって、水を充填するタンク本体の両端側に前記枠部材の水平桟部に載置可能な載置部を設け、この載置部を各枠部材の水平桟部に載置してタンク本体を前記枠部材間に架設し得るように構成し、このタンク本体の両端側の載置部の少なくとも一方の載置部に、前記枠部材に貼付固定した表示板とこの表示板が貼設状態の水平桟部との間に生ずる隙間部に差込係止する差込係止部を突出状態に設け、この差込係止部を前記隙間部に差込係止状態として前記載置部を水平桟部に載置することで前記枠部材間にタンク本体を脱落阻止状態に架設保持し得るように構成したことを特徴とする立看板用重し具。
【請求項２】
前記差込係止部は、前記タンク本体の載置部の先端部から下方に向けて突出状態に構成したことを特徴とする請求項１記載の立看板用重し具。
【請求項３】
前記タンク本体は、前記表示板が貼設状態の水平桟部の前記表示板との隙間部に差込係止部を差込係止状態にしてタンク本体の載置部を載置した際、このタンク本体が前記水平桟部に貼設状態の表示板を押圧しないようにこのタンク本体の端部形状を設定したことを特徴とする請求項１，２のいずれか１項に記載の立看板用重し具。
【請求項４】
前記タンク本体は、前記差込係止部に設けない他側の載置部は、前記表示板が貼設固定されない枠部材の水平桟部に被嵌係止する被嵌係止部を有する構成としたことを特徴とする請求項１〜３のいずれか１項に記載の立看板用重し具。
【請求項５】
前記タンク本体は、水を充填したタンク本体の重心より高い位置に前記載置部の高さ位置を設定して構成したことを特徴とする請求項１〜４のいずれか１項に記載の立看板用重し具。
【請求項６】
前記立看板は、一対の枠部材を枢着して開閉自在に連結し、逆Ｖ字状若しくは逆Ｙ字状に開いて立設状態に設置可能に構成したものを使用し、前記タンク本体は、この逆Ｖ字状若しくは逆Ｙ字状に開いて立設状態に設置した立看板の各枠部材の下方に水平架設した各水平桟部に載置部を載置して架設する形状に構成したことを特徴とする請求項１〜５のいずれか１項に記載の立看板用重し具。
【発明の詳細な説明】
【技術分野】
【０００１】
本発明は、立看板に付設してこの立看板を立設状態に設置保持する立看板用重し具に関するものである。
【背景技術】
【０００２】
従来から、縦桟部間に水平桟部を水平架設して枠状に形成した枠部材に表示板を貼設固定して立設状態に設置可能に構成した、所謂立看板は、道路や工事現場など様々な場所に設置され広く使用されている。
【０００３】
一般的な立看板は、例えば、左右一対の縦桟部間に上下一対の水平桟部を水平架設し、この左右一対の縦桟部と上下一対の水平桟部とに亘って表示板が貼設固定された枠部材と、この枠部材を支持するもう一方の枠部材とを枢着し、逆Ｖ字状若しくは逆Ｙ字状に開いて立設状態に設置する構成である。
【０００４】
ところで、この種の立看板は、単に逆Ｖ字状若しくは逆Ｙ字状に開いて立設状態に設置しただけでは、風などによって転倒や位置ズレが生じてしまうという問題があった。
【０００５】
そこで、例えば、この立看板に重みを加重して下方に押圧することで、この立看板の横転や位置ズレを阻止することができれば良いが、立看板に簡単且つ良好に重みを加重できるものは従来までにはない。
【０００６】
所が、この立看板に近い構成のもので、例えば、左右一対の縦桟部間に上下一対の水平桟部を水平架設して形成した枠部材を連設して逆Ｖ字状に立設状態に設置可能な構成の、所謂バリケードに付設する重し具は、従来から提案されている。
【０００７】
この重し具は、水を充填するタンク本体の両端側をバリケードの各枠部材の水平桟部に載置して、タンク本体を枠部材間に架設状態に設ける構成で、水が充填されたタンク本体の重みによってバリケードに加重して、当該バリケードを下方に押圧し安定性良く設置保持できるものである。
【０００８】
この重し具を、上記立看板にも付設できれば、タンク本体の重みによって立看板に加重し、この立看板を安定性良く立設状態に設置保持できる。しかし、立看板は、上記バリケードのように単に枠部材を対設しただけの構成ではなく、この枠部材の外側に表示板が貼設固定されている構成の為、前記タンク本体を各枠部材の水平桟部に載置しようとしても、タンク本体の端側が水平桟部の外側に貼設された表示板と当接するなど、表示板が邪魔になってタンク本体の端側を良好に載置することができず、（載置できたとしても簡単に脱落してしまい）、よって、上記の重し具を立看板に付設してこの重し具によって立看板を安定性良く立設状態に設置保持することはできなかった。
【発明の開示】
【発明が解決しようとする課題】
【０００９】
本発明は、上記問題点を解決したもので、水を充填するタンク本体の両端側の載置部の少なくとも一方の載置部に突出状態に差込係止部を設けた為、仮に載置部を載置する水平桟部の外側に表示板が貼付されていた場合においても、この水平桟部と表示板との間に生ずる隙間部に前記差込係止部を差込係止状態として載置部を水平桟部上に係止状態（載置部が水平桟部から簡単に脱落しない状態）に載置保持することができ、よって、枠部材の外側に表示板が貼付固定された立看板の各枠部材間に、タンク本体を簡単に脱落しないようにしっかりと架設保持でき、既存の立看板に簡単、且つ、確実に重みを加重して立設状態に設置保持することが可能な極めて実用性に秀れた立看板用重し具を提供するものである。
【課題を解決するための手段】
【００１０】
添付図面を参照して本発明の要旨を説明する。
【００１１】
対向する縦桟部１ｂ間に水平桟部１ａを水平架設して形成した複数の枠部材１を連設して立設状態に設置可能に構成すると共に、この複数の枠部材１の少なくとも一の枠部材１の外側に表示板２を貼設固定して成る立看板Ｓに付設して、この立看板Ｓを立設状態に設置保持する立看板用重し具であって、水を充填するタンク本体３の両端側に前記枠部材１の水平桟部１ａに載置可能な載置部４を設け、この載置部４を各枠部材１の水平桟部１ａに載置してタンク本体３を前記枠部材１間に架設し得るように構成し、このタンク本体３の両端側の載置部４の少なくとも一方の載置部４に、前記枠部材１に貼付固定した表示板２とこの表示板２が貼設状態の水平桟部１ａとの間に生ずる隙間部８に差込係止する差込係止部５を突出状態に設け、この差込係止部５を前記隙間部８に差込係止状態として前記載置部４を水平桟部１ａに載置することで前記枠部材１間にタンク本体３を脱落阻止状態に架設保持し得るように構成したことを特徴とする立看板用重し具に係るものである。
【００１２】
また、前記差込係止部５は、前記タンク本体３の載置部４の先端部から下方に向けて突出状態に構成したことを特徴とする請求項１記載の立看板用重し具に係るものである。
【００１３】
また、前記タンク本体３は、前記表示板２が貼設状態の水平桟部１ａの前記表示板２との隙間部８に差込係止部５を差込係止状態にしてタンク本体３の載置部４を載置した際、このタンク本体３が前記水平桟部１ａに貼設状態の表示板２を押圧しないようにこのタンク本体３の端部形状を設定したことを特徴とする請求項１，２のいずれか１項に記載の立看板用重し具に係るものである。
【００１４】
また、前記タンク本体３は、前記差込係止部５に設けない他側の載置部４は、前記表示板２が貼設固定されない枠部材１の水平桟部１ａに被嵌係止する被嵌係止部４ａを有する構成としたことを特徴とする請求項１〜３のいずれか１項に記載の立看板用重し具に係るものである。
【００１５】
また、前記タンク本体３は、水を充填したタンク本体３の重心より高い位置に前記載置部４の高さ位置を設定して構成したことを特徴とする請求項１〜４のいずれか１項に記載の立看板用重し具に係るものである。
【００１６】
また、前記立看板Ｓは、一対の枠部材１を枢着して開閉自在に連結し、逆Ｖ字状若しくは逆Ｙ字状に開いて立設状態に設置可能に構成したものを使用し、前記タンク本体３は、この逆Ｖ字状若しくは逆Ｙ字状に開いて立設状態に設置した立看板Ｓの各枠部材１の下方に水平架設した各水平桟部１ａに載置部４を載置して架設する形状に構成したことを特徴とする請求項１〜５のいずれか１項に記載の立看板用重し具に係るものである。
【発明の効果】
【００１７】
本発明は、水を充填するタンク本体の両端側に設けた載置部の少なくとも一方の載置部に、立看板の枠部材の外側に貼付固定して水平桟部の外側に貼設状態の表示板とこの水平桟部との間に生ずる隙間部に差込係止する差込係止部を設けた構成としたから、たとえタンク本体を載置したい水平桟部の外側に表示板が貼付されいたとしても、差込係止部をこの水平桟部と表示板との間に生ずる隙間部に差込係止することで、載置部を係止状態に水平桟部上に載置し、この載置部の位置ズレや水平桟部からの脱落などを可及的に阻止でき、よって、表示板が邪魔でタンク本体を積載しずらい、又は、タンク本体が枠部材間から簡単に脱落してしまうなどの問題が生じ得ず、既存の立看板にしっかりと脱落阻止状態に架設保持してこの立看板を立設状態に簡単に、且つ、良好に設置保持できる極めて実用性に秀れた画期的な立看板用重し具となる。
【００１８】
また、請求項２記載の発明においては、タンク本体を各枠部材の水平桟部の上方からこのタンク本体の両端側に設けた載置部をこれら各水平桟部に載置する際に、同時に、簡単に前記水平桟部とこの水平桟部に貼設状態の表示板との間の隙間部に差込係止部を差込係止することができ、即ち、立看板に本発明品を簡単に架設することができ、この点において一層実用性に秀れた立看板用重し具となる。
【００１９】
また、請求項３記載の発明においては、前記タンク本体の載置部に設けた差込係止部を隙間部に差し込む作業を一層簡単、且つ良好に行なえる上に、この差込係止部を差込係止状態とした際にタンク本体の端部によって前記表示板を押圧し変形させる心配がなく、この点においても、一層実用性に秀れる。
【００２０】
また、請求項４記載の発明においては、タンク本体の一端側に設ける差込係止部と、他端側に有する引っ掛け係止部とによってタンク本体の両端側の載置部を係止状態に水平桟部に載置でき、よって、タンク本体を一層しっかりと脱落阻止状態に架設保持、一層実用性に秀れる。
【００２１】
また、請求項５記載の発明においては、タンク本体を各枠部材の水平桟部に架設保持した際のこのタンク本体の重心位置を低くでき、タンク本体の安定性が増す為、一層タンク本体を各枠部材間に安定して架設保持でき、この点においても一層実用性に秀れる。
【００２２】
また、請求項６記載の発明においては、一般的な既存の立看板に簡単に付設でき、簡易に、且つ、確実に立看板を安定性良く立設状態に設置保持できる実用性に秀れた立看板用重し具となる。
【発明を実施するための最良の形態】
【００２３】
好適と考える本発明の実施形態を、図面に基づいて本発明の作用を示して簡単に説明する。
【００２４】
対向する縦桟部１ｂ間に水平桟部１ａを水平架設して形成した複数の枠部材１を連設して立設状態に載置可能に構成すると共に、この複数の枠部材１の少なくとも一の枠部材１の外側に表示板２を貼設固定して成る立看板Ｓの各枠部材１の水平桟部１ａに、水を充填するタンク本体３の両端側に設けた載置部４を載置して、このタンク本体３を前記枠部材１間に架設状態に設ける。
【００２５】
この際、前記タンク本体３の両端側に設けた載置部４の少なくとも一方の載置部４に突出状態に設けた差込係止部５を、前記枠部材１の外側に貼設固定した表示板２及びこの表示板２が貼設状態の水平桟部１ａとの間に生ずる隙間部８に差込係止している為、この差込係止部５が設けられた載置部４は、この差込係止部５が差込係止状態として前記表示板２が貼設状態の水平桟部１ａ上に係止状態に載置されることとなる。
【００２６】
つまり、本発明は、たとえタンク本体３を載置したい水平桟部１ａが、外側に表示板２が貼設された状態であっても、タンク本体３の差込係止部５を前記隙間部８に差込係止状態に載置部４を水平桟部１ａに載置することで、載置部４の位置ズレや脱落を阻止でき、載置部４が水平桟部１ａから簡単に脱落しタンク本体３が枠部材１間から脱落してしまうことを可及的に阻止して、既存の立看板Ｓの枠部材１間にタンク本体３をしっかりと脱落阻止状態に架設保持して立看板Ｓを立設状態に設置保持できる、実用性に秀れた立看板用重し具となる。
【００２７】
また、請求項２記載の発明においては、前記差込係止部５は、前記タンク本体３の載置部４の先端部から下方に向けて突出状態に設けているので、例えば、タンク本体３の両端側の載置部４を各枠部材１の水平桟部１ａの上方からこの水平桟部１ａに載置させると同時に、載置部４の前端部から下方に向けて突出状態の前記差込係止部５を水平桟部１ａと表示板２との間の隙間部８に上方から差し込むなどして、簡単にタンク本体３を枠部材１間に架設できることとなる。
【００２８】
即ち、タンク本体３を立看板Ｓの枠部材１間に配し、両端側の載置部４を各水平桟部１ａに載置すると同時に前記差込係止部５が差込係止状態となるので、立看板Ｓに本発明品を付設する作業が一層簡易化されることとなる。
【００２９】
また、差込係止部５が前記載置部４の中央や基端側に設けられているのでは無く、この差込係止部５が前記載置部４の先端部に突出状態に設けられているので、この差込係止部５を隙間部８の上方から差し込む際に、前記表示板２に載置部４などタンク本体３が当接しにくくなり、一層隙間部８に差込係止部５を差し込み易くなる。
【００３０】
また、請求項３記載の発明においては、前記タンク本体３は、前記表示板２が貼設状態の水平桟部１ａの前記表示板２との隙間部８に差込係止部５を差込係止状態にしてタンク本体３の載置部４を載置した際、このタンク本体３が前記水平桟部１ａに貼設状態の表示板２を押圧しないようにこのタンク本体３の端部形状を設定している為、この差込係止部５を隙間部８に差し込む作業を、前記表示板２が邪魔にならずに簡単に行えることとなり、また、この差込係止部５を隙間部８に差込係止状態とした際に、タンク本体３の端部によって前記表示板２を押圧変形させることも無く、良好にタンク本体３を枠部材１間に架設できることとなる。
【００３１】
また、請求項４記載の発明においては、前記タンク本体３は、前記差込係止部５に設けない他側の載置部４は、前記表示板２が貼設固定されない枠部材１の水平桟部１ａに被嵌係止する被嵌係止部４ａを有する構成としたので、前記タンク本体３の一端側は差込係止部５を隙間部８に差込係止状態に前記載置部４を水平桟部１ａに載置し、他端側は水平桟部１ａに被嵌係止部４ａによって被嵌係止することで係止状態に前記載置部４を載置し、タンク本体３の両端側の載置部４が係止状態に水平桟部１ａ上に載置することとなり、一層確実に脱落阻止状態に架設保持されることとなる。
【００３２】
また、請求項５記載の発明においては、タンク本体３の両端側の載置部４の高さ位置が、水を充填したタンク本体３の重心より高い位置に設定されている為、このタンク本体３を立看板Ｓの枠部材１間に架設保持した際、このタンク本体３の重心が各枠部材１の水平桟部１ａよりも低い位置となり、よって、枠部材１間に架設状態のタンク本体３の安定性が増し一層確実にタンク本体３を枠部材１間に架設保持できることとなる。
【００３３】
また、請求項６記載の発明においては、一対の枠部材１を枢着して開閉自在に連結して逆Ｖ字状若しくは逆Ｙ字状に開いて立設状態に設置可能に構成した立看板Ｓの各枠部材１の下方に水平架設した水平桟部１ａに載置部４を載置でき、一般的な構成の既存の立看板Ｓに確実に架設保持できると共に立設状態に設置保持できることとなる。
【実施例】
【００３４】
本発明の具体的な実施例について図面に基づいて説明する。
【００３５】
本実施例は、対向する縦桟部１ｂ間に水平桟部１ａを水平架設して形成した複数の枠部材１を連設して立設状態に設置可能に構成すると共に、この複数の枠部材１の少なくとも一の枠部材１の外側に表示板２を貼設固定して成る立看板に付設して、この立看板Ｓを立設状態に設置保持する立看板用重し具であって、水を充填するタンク本体３の両端側に前記枠部材１の水平桟部１ａに載置可能な載置部４を設け、この載置部４を各枠部材１の水平桟部１ａに載置してタンク本体３を前記枠部材１間に架設し得るように構成し、このタンク本体３の両端側の載置部４の少なくとも一方の載置部４に、前記枠部材１に貼付固定した表示板２とこの表示板２が貼設状態の水平桟部１ａとの間に生ずる隙間部８に差込係止する差込係止部５を突出状態に設け、この差込係止部５を前記隙間部８に差込係止状態として前記載置部４を水平桟部１ａに載置することで前記枠部材１間にタンク本体３を脱落阻止状態に架設保持し得るように構成したものである。
【００３６】
タンク本体３は、図１及び図３に図示したように、架設方向に長さ方向を有する長尺体形状の容器体に形成すると共に、このタンク本体３に水を出し入れする為の開口を開閉自在に閉塞する開閉蓋４ｂと、このタンク本体３を握持し持ち運び可能とする握持部６を夫々このタンク本体３の上部に設けた構成である。
【００３７】
また、このタンク本体３の両端側は、図３及び図４に図示したように、タンク本体３の略中央位置より上部が夫々架設方向に突出する形状に形成している。即ち、このタンク本体３の両端側の突出箇所の下面部を、図２に図示したように、前記立看板Ｓの各枠部材１の下端近傍位置に設けられた水平桟部１ａに載置する構成である。
【００３８】
また、このタンク本体３は、水を充填し各水平桟部１ａ間に架設した際に、このタンク本体３の重心が各水平桟部１ａより低い位置となるように、このタンク本体３の両端側の載置部４の高さ位置を設定して構成している。
【００３９】
また、このタンク本体３は、前記表示板２が貼設状態の水平桟部１ａの前記表示板２との隙間部８に差込係止部５を差込係止状態にしてタンク本体３の載置部４を載置した際、このタンク本体３が前記水平桟部１ａに貼設状態の表示板２を押圧しないようにこのタンク本体３の端部形状を設定している。具体的には、前記タンク本体３を枠部材１間に架設した際に、差込係止部５を設けた側の端部形状が、図２に図示したように、載置した水平桟部１ａに貼設状態の表示板２の傾斜に略沿った傾斜面形状となるように構成している。
【００４０】
即ち、前記差込係止部５を隙間部８に差し込む際に、このタンク本体３の端部が表示板２に当たって差し込みずらかったり、差込み係止部５を隙間部８に差し込んだ際に、タンク本体３の端部で表示板２を押圧変形させるなどの問題が生じないように構成している。
【００４１】
尚、本実施例においては、前記タンク本体３及び載置部４，握持部６を、樹脂成形によって一体成形している。
【００４２】
このタンク本体３の一端の載置部４に設ける差込係止部５は、図３に図示したように、前記タンク本体３の載置部４の先端部から下方に向けて突出状態に構成している。
【００４３】
この差込係止部５は、図５に図示したように、金属製平板材を（本実施例では、二つの金属製平板材を並設状態に）前記タンク本体３の端部の表面形状と略面一となるように沿設状態に固定し、この金属製平板材の一部がこの載置部４の端部から下方に突出するように設けて構成したものである。
【００４４】
また、この差込係止部５は、具体的には、図５に図示したように、金属製平板材の表面部に突出状態にリベット７を溶接し、このリベット７付きの板部材を、前記タンク本体３を上記の通り樹脂成形で一体成形する際にインサート成形することによって、図５に図示したように、タンク本体３の表面に抱き込み状態に固定して設けている。尚、この差込係止部５は、図６に図示したように、金属製平板材の先端をＬ字状に折曲し、載置部４に略面一となるように沿設状態に固定した構成としても良い。また、図７に図示したように、タンク本体３の端部を一部肉厚に形成すると共に、この肉厚部に金属製平板材を取付螺子10によって螺着固定した構成としても良い。
【００４５】
また、このタンク本体３の、前記差込係止部５に設けない他側の載置部４は、前記表示板２が貼設固定されない枠部材１の水平桟部１ａに被嵌係止する被嵌係止部４ａを有する構成としている。
【００４６】
この被嵌係止部４ａは、具体的には、図２及び図４に図示したように、前記差込係止部５を設けない他側の載置部４の端部位置を下方に突出する凸状に形成（タンク本体３と樹脂成形による一体成形）して成る構成である。
【００４７】
尚、本実施例においては、タンク本体３の一方の載置部４に差込係止部５を設け、他方の載置部４は被嵌係止部４ａを有する構成としたが、例えば、タンク本体３の両端側の載置部４に夫々前記差込係止部５を設ける構成としても良い。この場合には、タンク本体３を枠部材１間に架設する際、このタンク本体３の両端側の一方の枠部材１にのみ表示板１が貼付固定されているのでなく、両方の枠部材１に夫々表示板２が貼付固定されていた場合においても、タンク本体３の両端側の載置部４夫々に前記差込係止部５が設けられている為、タンク本体３の各載置部４を水平桟部１ａに係止状態に載置でき、タンク本体３を水平桟部１ａ間にしっかりと脱落阻止状態に架設保持できることとなる。
【００４８】
尚、本実施例の立看板用重し具を架設する前記立看板Ｓは、具体的には、一の枠部材１は、図１に図示したように、左右一対の縦桟部１ｂ間の上端部位置、及び下端近傍位置に上下一対に水平桟部１ａを水平架設し、この左右一対の縦桟部１ｂ及び上下一対の水平桟部１ａに亘って表示板２を貼設すると共に、この表示部２の周縁部上の複数箇所を固定螺子10によって前記縦桟部１ｂ又は水平桟部１ａに締結固定してこの枠部材１の外側に表示板２を貼付固定して構成し、他の枠部材１は、図１に図示したように、上記の表示板２が貼付固定された一の枠部材１よりも短い長さ形状の左右一対の縦桟部１ｂ間の下端近傍位置に水平桟部１ａを水平架設すると共に上端部を上記の表示板２が貼設固定された位置の枠部材１の各縦桟部１ｂに枢着して構成し、図１に図示したように、表示部２が貼設固定された一の枠部材１に対してもう一つの枠部材１を回動させて、逆Ｙ字状に開いて立設状態に設置可能に構成した、一般的な構成の立看板Ｓである。尚、この立看板Ｓは、一対の枠部材１の各縦桟部１ｂを同じ長さ形状に形成して、逆Ｖ字状に開いて立設状態に架設可能に構成した立看板Ｓを使用しても良い。
【００４９】
本実施例は、上述のように構成したから、例えば、上記の一般的な構成の立看板Ｓの各枠部材１の水平桟部１ａに、水を充填するタンク本体３の両端側に設けた載置部４を載置して、このタンク本体３を前記枠部材１間に架設状態に設ける。
【００５０】
この際、前記立看板Ｓの表示板２は、周縁部上の複数箇所が取付螺子10で固定されている表示板２の前記取付螺子10と取付螺子10との間に生ずる隙間部、即ち、図２に図示したように、枠部材１の外側に貼設固定した表示板２と、この水平桟部１ａとの間に生ずる隙間部８に差込係止し、他方の載置部４の被嵌係止部４ａをている為、この差込係止部５が設けられた載置部４は、この差込係止部５が差込係止状態として前記表示板２が貼設状態の水平桟部１ａ上に係止状態に載置されることとなる。
【００５１】
よって、図１に図示したような、一般的な、左右の縦桟部１ｂと上下の水平桟部１ａに亘って表示板２が貼設されている立看板Ｓにおいても、この表示板２が邪魔でタンク本体３を積載しずらい、又は、タンク本体３が枠部材１間から簡単に脱落してしまうなどの問題が生じ得ず、既存の立看板Ｓの各枠部材１間にタンク本体３をしっかりと脱落阻止状態に架設保持してこの立看板Ｓをこのタンク本体３の重みによって立設状態に簡単に、且つ、良好に設置保持できる極めて実用性に秀れた画期的な立看板用重し具となる。
【００５２】
また、本実施例においては、上記の通り、タンク本体３を各枠部材１の水平桟部１ａの上方からこのタンク本体３の両端側に設けた載置部４をこれら各水平桟部１ａに載置する際に、同時に、簡単に前記水平桟部１ａとこの水平桟部１ａに貼設状態の表示板２との間の隙間部８に差込係止部５を差込係止することができ、即ち、立看板Ｓに本実施例に係る立看板用重し具を簡単に架設することができ、この点においても一層実用性に秀れた立看板用重し具となる。
【００５３】
また、本実施例においては、前記タンク本体３を樹脂成形する際に、載置部４，被嵌係止部４ａ及び握持部６を一体成形しているので、生産性に秀れるが故に量産性に秀れ低コスト化を図り得るなど、この点においても実用性に秀れる。
【００５４】
しかも、このタンク本体３を樹脂成形する際、前記差込係止部５を、図５に図示したように、リベット７を溶接した金属製平板材の状態でインサート成形してタンク本体３の端部に抱き込み状態に固定する構成の為、即ち、タンク本体３の成形と差込係止部５の固定を同時に行えるので、一層生産性に秀れ、しかも、図５に図示したように、インサート成形によって差込係止部５がタンク本体３の端部に抱き込み状態に固定されるので、例えば、差込係止部５をタンク本体３に螺子で固定する場合に比して、螺子を螺着する為の穴をタンク本体３に穿設する必要が無いので水漏れの心配が一切無いなど、この点においても実用性に秀れる。即ち、仮に差込係止部５をタンク本体３に螺子で固定する場合、タンク本体３に螺着用の穴を穿設する必要があるが、この際、タンク本体３が肉薄だと螺着用の穴がこのタンク本体３を貫通する貫通穴となる為水漏れの心配が生じてしまうし、タンク本体３の一部、螺着用の穴をあける箇所のみを肉厚に形成し螺着穴が貫通しないように構成した場合には、タンク本体３の量産性を損ねてしまうが、本実施例においては、双方の問題が解決される。
【００５５】
また、本実施例においては、前記タンク本体３は、水を充填したタンク本体３の重心がこのタンク本体３を載置した各水平桟部１ａより低い位置となるように、このタンク本体３の両端側の載置部４の高さ位置を設定した構成である。
【００５６】
その為、本実施例では前記タンク本体３を架設方向に長尺な形状に形成しているものの、このタンク本体３を枠部材１間に架設した際にこのタンク本体３の重心が各水平桟部１ａより低い位置となる為に、タンク本体３が架設方向と直交する方向に横転したりすることを可及的に阻止でき、一層安定して確実にタンク本体３を枠部材１間に架設保持できるなど、この点においても一層実用性に秀れる。
【００５７】
尚、本発明は、本実施例に限られるものではなく、各構成要件の具体的構成は適宜設計し得るものである。
【図面の簡単な説明】
【００５８】
【図１】本実施例の使用状態を示す斜視図である。
【図２】本実施例の使用状態を示す断面図である。
【図３】本実施例のタンク本体３を示す斜視図である。
【図４】本実施例のタンク本体３を示す斜視図である。
【図５】本実施例の差込係止部５を示す断面図である。
【図６】本実施例の差込係止部５の別例を示す断面図である。
【図７】本実施例の差込係止部５の別例を示す断面図である。
【符号の説明】
【００５９】
１  枠部材
１ａ  水平桟部
１ｂ  縦桟部
２  表示板
３  タンク本体
４  載置部
４ａ  被嵌係止部
５  差込係止部
８  隙間部
Ｓ  立看板
【図１】
2006215371.tif 000003
【図２】
2006215371.tif 000004
【図３】
2006215371.tif 000005
【図４】
2006215371.tif 000006
【図５】
2006215371.tif 000007
【図６】
2006215371.tif 000008
【図７】
2006215371.tif 000009